(57)【特許請求の範囲】
【請求項１】
ポリカルボン酸系重合体を含む組成物であって、
該ポリカルボン酸系重合体は、重量平均分子量が３６，０００〜２００，０００であり、かつ、全単量体由来の構造１００モル％に対して（メタ）アクリル酸（塩）由来の構造を８０モル％以上含み、
乾燥時の吸湿率が３０％未満であり、硫酸ナトリウムの含有量が該ポリカルボン酸系重合体組成物の固形分に対して０質量％以上、２．５質量％未満である、ポリカルボン酸系重合体組成物。
【請求項２】
請求項１に記載のポリカルボン酸系重合体組成物を含む、洗剤組成物。
【請求項３】
請求項１に記載のポリカルボン酸系重合体組成物の製造方法であって、
該製造方法は、過硫酸塩を使用して、または過硫酸塩と重亜硫酸塩を併用して、（メタ）アクリル酸（塩）を含む単量体を重合する工程を含み、
該（メタ）アクリル酸（塩）が、全単量体１００モル％に対して８０モル％以上であり、
該過硫酸塩の使用量が、単量体１モルに対して０．１ｇ以上、４ｇ以下であり、
該過硫酸塩と該重亜硫酸塩の合計の使用量が、単量体１モルに対して２ｇ以上、４ｇ以下である、ポリカルボン酸系重合体組成物の製造方法。
【発明の詳細な説明】
【技術分野】
【０００１】
本発明は、ポリカルボン酸系重合体組成物、及びその製造方法に関するものである。
【背景技術】
【０００２】
従来から、（メタ）アクリル酸系重合体等のポリカルボン酸系重合体のうち、低分子量のものは、その優れたキレート能や分散能を利用して、洗剤ビルダーや、無機顔料や金属イオン等の分散剤やスケール防止剤等に好適に用いられている。
【０００３】
例えば引用文献１には、５０〜１００ｍｏｌ％の（メタ）アクリル酸、および０〜５０ｍｏｌ％の、（メタ）アクリル酸に共重合可能な水溶性モノエチレン性不飽和単量体を水溶液中で重合してなる重合体であって、末端にスルホン酸基を有するとともに、次式、Ｑ＝ゲル化度×１０５／重量平均分子量で定義される耐ゲル能Ｑ値が２．０未満であることを特徴とする（メタ）アクリル酸系重合体が開示されている。上記重合体は、高いキレート能および分散能に加え、良好な耐ゲル性を示すことが開示されている。
【０００４】
例えば特許文献２には、Ｓ＝（ポリマーに含まれるＳ量）／（全Ｓ量）×１００で定義される硫黄元素導入量Ｓ値が３５以上であることを特徴とする（メタ）アクリル酸系重合体が開示されている。上記重合体は、高いキレート能および分散能に加え、良好な耐ゲル性を示すことが開示されている。
【先行技術文献】
【特許文献】
【０００５】
【特許文献１】特開平１１−３１５１１５号公報
【特許文献２】特開２００４−７５９７１号公報
【発明の概要】
【発明が解決しようとする課題】
【０００６】
上述したように、従来、様々なポリカルボン酸系重合体（組成物）が報告されているものの、例えば粉体洗剤組成物に多量のポリカルボン酸系重合体（組成物）を添加しようとした場合、ポリカルボン酸系重合体（組成物）の吸湿性が比較的高い為、粉体洗剤組成物の風合いを損ねてしまう（べた付き感が生じる）場合がある。よって、ポリカルボン酸系重合体（組成物）の配合量を十分に増加できない場合があった。
そこで、本発明は、従来のポリカルボン酸系重合体（組成物）よりも吸湿性が低いことにより、より多く粉体洗剤組成物に配合が可能となるポリカルボン酸系重合体（組成物）を提供することを目的とする。
【課題を解決するための手段】
【０００７】
本発明者らは、上記目的を達成するために様々な重合体（組成物）について鋭意検討を行なった結果、特定の不純物が特定の範囲になるように製造したポリカルボン酸系重合体組成物が優れた吸湿特性（吸湿率が低い）を示すことを知得し、該知見に基づいて本発明を完成した。
すなわち、本発明は、ポリカルボン酸系重合体を含む組成物であって、乾燥時の吸湿率が３０％未満であり、硫酸ナトリウムの含有量が該ポリカルボン酸系重合体組成物の固形分に対して０質量％以上、２．５質量％未満である、ポリカルボン酸系重合体組成物である。
【発明の効果】
【０００８】
本発明のポリカルボン酸系重合体（組成物）は、優れた吸湿特性（吸湿率が低い）を有する。従って、例えば洗剤組成物の添加剤（特に洗剤ビルダー）として有用に使用することができる。
【発明を実施するための形態】
【０００９】
以下、本発明を詳細に説明する。
【００１０】
〔本発明のポリカルボン酸系重合体（組成物）〕
＜本発明のポリカルボン酸系重合体＞
本発明のポリカルボン酸系重合体組成物は、ポリカルボン酸系重合体（以下、「本発明のポリカルボン酸系重合体」とも言う。）を必須として含む。
本発明のポリカルボン酸系重合体は、カルボキシル基含有単量体（Ａ）由来の構造単位（ａ）を有する。本発明において、カルボキシル基含有単量体（Ａ）とは、１）炭素炭素不飽和二重結合と２）カルボキシル基および／またはその塩を必須として含有する単量体である。具体的には、アクリル酸、メタクリル酸、クロトン酸、αーヒドロキシアクリル酸、α−ヒドロキシメチルアクリル酸及びその誘導体等の、不飽和モノカルボン酸及びこれらの塩等；イタコン酸、フマル酸、マレイン酸、２−メチレングルタル酸等の不飽和ジカルボン酸及びこれらの塩等が挙げられる。
【００１１】
上記塩とは、金属塩、アンモニウム塩、有機アミン塩である。金属塩としては、ナトリウム塩、リチウム塩、カリウム塩等のアルカリ金属の塩；マグネシウム塩、カルシウム塩、等のアルカリ土類金属の塩；アルミニウム、鉄等の塩等が挙げられる。また、有機アミン塩としては、モノエタノールアミン塩、ジエタノールアミン塩、トリエタノールアミン塩等のアルカノールアミン塩；モノエチルアミン塩、ジエチルアミン塩、トリエチルアミン塩等のアルキルアミン塩；エチレンジアミン塩、トリエチレンジアミン塩等のポリアミン等の有機アミンの塩が挙げられる。本発明のポリカルボン酸系重合体の洗剤ビルダーとしての性能を維持しつつ、吸湿特性が向上する（吸湿率が低くなる）傾向にあることから、塩の中でも好ましくはナトリウム塩、カリウム塩、ジエタノールアミン塩、トリエタノールアミン塩である。
【００１２】
カルボキシル基含有単量体（Ａ）の中でも、洗剤ビルダーとしての性能（よごれ粒子の分散能等）が高くなる傾向にあることから、アクリル酸、アクリル酸塩、メタクリル酸、メタクリル酸塩、マレイン酸、マレイン酸塩が好ましく、アクリル酸、アクリル酸塩、メタクリル酸、メタクリル酸塩（これらを「（メタ）アクリル酸（塩）」とも言う。）を必須とすることがより好ましい。
本発明のポリカルボン酸系重合体は、構造単位（ａ）を１種のみで含んでいても良いが、２種類以上含んでいても良い。
上記構造単位（ａ）は、単量体（Ａ）の不飽和二重結合（例えば、ＣＨ２＝Ｃ（Ｒ１）−）が単結合（例えば、−ＣＨ２−Ｃ（Ｒ１）−）になった構造である。
【００１３】
本発明のポリカルボン酸系重合体は、カルボキシル基含有単量体（Ａ）由来の構造単位（ａ）を全単量体に由来する構造単位の合計１００モル％（すなわち、カルボキシル基含有単量体に由来する構造単位と、その他の単量体に由来する構造単位との合計１００モル％）に対して、５０モル％以上、１００モル％以下の割合で有することが好ましい。構造単位（ａ）が上記範囲内であることにより、洗剤ビルダーとしての性能（よごれ粒子の分散能等）が向上する傾向にある。全単量体に由来する構造単位の合計１００モル％に対する構造単位（ａ）の割合は、８０モル％以上、１００モル％以下であることがより好ましく、９０モル％以上、１００モル％以下であることがさらに好ましく、１００モル％であることが特に好ましい。
【００１４】
本発明のポリカルボン酸系重合体は、上記の通りカルボキシル基含有単量体に由来する構造単位として、好ましくは（メタ）アクリル酸（塩）に由来する構造単位を含むが、その場合、全単量体に由来する構造単位の合計１００モル％に対して、（メタ）アクリル酸（塩）に由来する構造単位が５０モル％以上、１００モル％以下であることが好ましく、８０モル％以上、１００モル％以下であることがより好ましく、９０モル％以上、１００モル％以下であることがさらに好ましく、１００モル％であることが特に好ましい。
【００１５】
本発明のポリカルボン酸系重合体は、（メタ）アクリル酸（塩）に由来する構造単位を含む場合に、さらにマレイン酸（塩）に由来する構造単位を含んでいても良い。上記マレイン酸（塩）とは、マレイン酸（酸型）、マレイン酸の一塩、マレイン酸の二塩を表わす。本発明のカルボキシル基含有単量体が（メタ）アクリル酸（塩）由来する構造単位を含む場合にさらに含むマレイン酸（塩）に由来する構造単位のモル％は、全単量体に由来する構造単位の合計１００モル％に対して、０モル％以上、５０モル％以下であることが好ましく、０モル％以上、２０モル％以下であることがより好ましく、０モル％以上、１０モル％以下であることがさらに好ましく、０モル％であることが特に好ましい。
【００１６】
本発明のポリカルボン酸系重合体は、その他の単量体（Ｅ）由来の構造単位（ｅ）を有していても構わない。
本発明のポリカルボン酸系重合体が他の単量体（Ｅ）を含む際の他の単量体（Ｅ）としては、上記単量体（Ａ）と共重合可能なものであれば特に限定されるものではなく、所望の効果によって適宜選択される。具体的には、３−アリルオキシ−２−ヒドロキシプロパンスルホン酸、（メタ）アリルスルホン酸、イソプレンスルホン酸、ビニルスルホン酸、スチレンスルホン酸及びこれらの塩等のスルホン酸基含有単量体；（メタ）アリルアルコール、イソプレノール等の不飽和アルコールにアルキレンオキサイドを付加した単量体、（メタ）アクリル酸のポリアルキレングリコールエステル、等のポリアルキレングリコール系単量体；Ｎ−ビニルピロリドン、Ｎ−ビニルホルムアミド、Ｎ−ビニルアセトアミド、Ｎ−ビニル−Ｎ−メチルホルムアミド、Ｎ−ビニル−Ｎ−メチルアセトアミド、Ｎ−ビニルオキサゾリドン等のＮ−ビニル単量体；（メタ）アクリルアミド、Ｎ，Ｎ−ジメチルアクリルアミド、Ｎ−イソプロピルアクリルアミド等のアクリルアミド系単量体；ブチル（メタ）アクリレート、２−エチルヘキシル（メタ）アクリレート、ドデシル（メタ）アクリレート等の（メタ）アクリル酸アルキルエステル系単量体；２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、ヒドロキシペンチル（メタ）アクリレート等の（メタ）アクリル酸ヒドロキシアルキル系単量体；ビニルピリジン、ビニルイミダゾール等の複素環式芳香族炭化水素基と重合性基を有するビニル芳香族系アミノ基含有単量体およびこれらの４級化物や塩；ジアリルアミン、ジアリルジメチルアミン等のアリルアミン類およびこれらの４級化物や塩；（ｉ）（メタ）アリルグリシジルエーテル、イソプレニルグリシジルエーテル、ビニルグリシジルエーテルのエポキシ環に、（ｉｉ）ジメチルアミン、ジエチルアミン、ジイソプロピルアミン、ジｎ−ブチルアミン等のアルキルアミン、ジエタノールアミン、ジイソプロパノールアミン等のアルカノールアミン、モルホリン、ピロール等の環状アミン類等のアミンを反応させることにより得られる単量体およびこれらの４級化物や塩等；スチレン、インデン、ビニルアニリン等のビニルアリール単量体、イソブチレン、酢酸ビニル；等が挙げられる。
また、上記他の単量体（Ｅ）は、１種を単独で使用してもあるいは２種以上の混合物の形態で使用されてもよい。
【００１７】
本発明のポリカルボン酸系重合体は、任意であるが、上記構造単位（ｅ）を全単量体に由来する構造単位の合計１００モル％に対して、０モル％以上、５０モル％以下の割合で有していても良く。０モル％以上、２０モル％以下であることがより好ましく、０モル％以上、１０モル％以下であることがさらに好ましく、０モル％であることが特に好ましい。
【００１８】
本発明のポリカルボン酸系重合体の重量平均分子量は、適宜設定できるものであり、特に限定されないが、洗剤ビルダーとしての性能（よごれ粒子の分散性等）が向上する傾向にあることから、具体的には、２，０００〜２００，０００であることが好ましく、より好ましくは３，０００〜６０，０００、最も好ましくは４，０００〜４０，０００である。なお、本明細書において、重量平均分子量は、ＧＰＣ（ゲルパーミエーションクロマトグラフィー）による測定値であり、後述する実施例に記載される方法に従って測定されたものである。
【００１９】
＜硫酸ナトリウム＞
本発明のポリカルボン酸系重合体組成物は、ポリカルボン酸系重合体組成物の固形分１００質量％に対して、硫酸ナトリウムの含有量が０質量％以上、２．５質量％未満であることを特徴としている。硫酸ナトリウムの含有量が上記の範囲になるように製造することにより、ポリカルボン酸系重合体組成物の吸湿特性が顕著に向上（吸湿率が低くなる）する。硫酸ナトリウムの含有量は、好ましくは０質量％以上、２．３質量％未満であり、より好ましくは０．１質量％以上、２．１質量％未満であり、さらに好ましくは、０．２質量％以上、１．８質量％未満であり、最も好ましくは０．３質量％以上、１．５質量％未満である。硫酸ナトリウムの含有量は、硫酸ナトリウムの水和物であっても水和物が無いものとして質量計算をする。
後述する製造方法で製造することにより、硫酸ナトリウムの含有量を上記の範囲になるようにすることができる。
本発明において、硫酸ナトリウムの含有量は、後述する方法により測定を行なう。
【００２０】
＜その他の成分＞
本発明のポリカルボン酸系重合体組成物は、本発明のポリカルボン酸系重合体を必須として含有する。本発明のポリカルボン酸系重合体組成物は、本発明のポリカルボン酸系重合体以外に任意の成分を含有することが可能であるが、通常はその他に、原料の残渣（上記硫酸ナトリウムを含む）、重合時の副生成物、水分から選ばれる１以上を含有する。
本発明のポリカルボン酸系重合体組成物の好ましい形態は、本発明のポリカルボン酸系重合体を２０〜８０質量％含有し、水を２０〜８０質量％含有する形態である。
本発明のポリカルボン酸系重合体組成物は、残存単量体の含有量が固形分換算で、０〜１５０００ｐｐｍであることが好ましく、０〜１００００ｐｐｍであることがより好ましい。
【００２１】
＜吸湿率＞
本発明のポリカルボン酸系重合体組成物は、吸湿特性が優れている（吸湿率が低い）ことを特徴としており、吸湿率は好ましくは２９％以下、より好ましくは２８％以下、さらに好ましくは２７％以下である。本発明における吸湿率は、後述する測定方法により得られるものである。
【００２２】
〔本発明のポリカルボン酸系重合体（組成物）の製造方法〕
本発明のポリカルボン酸系重合体（組成物）の製造方法は、特に断りの無い限りは、公知の重合方法と同様にしてあるいは修飾した方法が使用できる。本発明のポリカルボン酸系重合体（組成物）を製造する方法としては、カルボキシル基含有単量体を必須として含む単量体（単量体成分）を重合する工程（重合工程）を必須に含むことにより製造することができる。また、単量体成分を重合する際には、必要に応じ、上記その他の単量体（Ｅ）を更に共重合させてもよい。
【００２３】
このような製造方法においては、重合開始剤を用いて単量体成分を重合すればよい。なお、ポリカルボン酸系重合体を構成する構成単位が上述したようになるように、単量体成分に含まれる単量体の種類や使用量を適宜設定することになる。
本発明のポリカルボン酸系重合体（組成物）の製造に用いられるカルボキシル基含有単量体の組成比は、全単量体（すなわち、カルボキシル基含有単量体と、その他の単量体の合計）１００モル％に対して、カルボキシル基含有単量体が５０モル％以上、１００モル％以下であることが好ましく、８０モル％以上、１００モル％以下であることがより好ましく、９０モル％以上、１００モル％以下であることがさらに好ましく、１００モル％であることが特に好ましい。本発明のポリカルボン酸系重合体（組成物）の製造に用いられるその他の単量体の組成比は、全単量体１００モル％に対して、その他の単量体が０モル％以上、５０モル％以下であることが好ましく、０モル％以上、２０モル％以下であることがより好ましく、０モル％以上、１０モル％以下であることがさらに好ましく、０モル％であることが特に好ましい。
【００２４】
本発明のポリカルボン酸系重合体（組成物）の洗剤ビルダーとしての諸性能が向上する傾向にあることから、上記カルボキシル基含有単量体は（メタ）アクリル酸（塩）を含むことが好ましい。本発明のポリカルボン酸系重合体（組成物）の製造に用いられる（メタ）アクリル酸（塩）の組成比は、全単量体１００モル％に対して、（メタ）アクリル酸（塩）が５０モル％以上、１００モル％以下であることが好ましく、８０モル％以上、１００モル％以下であることがより好ましく、９０モル％以上、１００モル％以下であることがさらに好ましく、１００モル％であることが特に好ましい。
【００２５】
上記カルボキシル基含有単量体は（メタ）アクリル酸（塩）を含む場合に、さらにマレイン酸（塩）を含んでいても良い。マレイン酸（塩）とは、マレイン酸（酸型）、マレイン酸の一塩、マレイン酸の二塩を表わす。上記カルボキシル基含有単量体が（メタ）アクリル酸（塩）を含む場合の本発明のポリカルボン酸系重合体（組成物）の製造に用いられるマレイン酸（塩）の組成比は、全単量体１００モル％に対して、マレイン酸（塩）が０モル％以上、５０モル％以下であることが好ましく、０モル％以上、２０モル％以下であることがより好ましく、０モル％以上、１０モル％以下であることがさらに好ましく、０モル％であることが特に好ましい。
【００２６】
本発明のポリカルボン酸系重合体（組成物）の製造方法において、使用する重合溶媒としては、水を含むことが好ましく、使用する全溶剤量に対して水を５０質量％以上、１００質量％使用することが好ましく、使用する溶媒の全量を水とすることが好ましい。
単独で、または水と共に使用できる有機溶剤としては、メタノール、エタノール、イソプロピルアルコール等の低級アルコール類；アセトン、メチルエチルケトン、ジエチルケトン等の低級ケトン類；ジメチルエーテル、ジオキサン等のエーテル類；ジメチルホルムアルデヒド等のアミド類が挙げられる。有機溶剤は１種または２種以上で使用することができる。
【００２７】
上記溶媒の使用量としては、全単量体の合計１００質量％に対して４０〜２００質量％が好ましい。より好ましくは、４５質量％以上であり、更に好ましくは、５０質量％以上である。また、より好ましくは、１８０質量％以下であり、更に好ましくは、１５０質量％以下である。溶媒の使用量が４０質量％以下であると、得られる重合体の分子量が高くなるおそれがあり、２００質量％を超えると、得られる重合体の濃度が低くなり、溶媒除去が必要となるおそれがある。
【００２８】
本発明のポリカルボン酸系重合体（組成物）の製造方法で使用される重合開始剤としては、本発明のポリカルボン酸系重合体（組成物）の洗剤ビルダーとしての性能（よごれ粒子の分散能等）が高くなる傾向にあることから、過硫酸塩を必須として使用する。過硫酸塩としては、過硫酸ナトリウム、過硫酸カリウム、過硫酸アンモニウム等の過硫酸塩が例示される。
本発明のポリカルボン酸系重合体（組成物）の製造方法においては、過硫酸塩と共に、公知の重合開始剤を使用することができ、公知の重合開始剤としては、例えば、過酸化水素；２，２’−アゾビス（２−アミジノプロパン）塩酸塩、４，４’−アゾビス−４−シアノパレリン酸、アゾビスイソブチロニトリル、２，２’−アゾビス（４−メトキシ−２，４−ジメチルバレロニトリル）等のアゾ系化合物；過酸化ベンゾイル、過酸化ラウロイル、過酢酸、ジ−ｔ−ブチルパーオキサイド、クメンヒドロパーオキサイド等の有機過酸化物等が例示される。これらの重合開始剤は、単独または２種以上を併用して使用しても良い。
【００２９】
本発明のポリカルボン酸系重合体（組成物）の製造方法において、過硫酸塩の使用量を、全単量体（カルボキシル基含有単量体とその他の単量体の合計）１モルに対して０．１ｇ以上、４．０ｇ以下の割合で使用する。上記範囲で使用することにより、本発明のポリカルボン酸系重合体（組成物）の吸湿特性が向上する（吸湿率が低くなる）傾向にある。好ましくは、０．２ｇ以上、３．５ｇ以下であり、より好ましくは０．３ｇ以上、３．０ｇ以下である。
【００３０】
過硫酸塩以外の重合開始剤を使用する場合の重合開始剤の合計使用量は、過硫酸塩の使用量が上記の範囲であれば、特に制限はないが、好ましくは全単量体１モルに対して、１０ｇ以下、より好ましくは０．１〜５ｇであり、本発明の重合体組成物中の残存単量体と不純物が少なくなる傾向にあることから、特に好ましくは０．１〜４ｇである。
【００３１】
本発明のポリカルボン酸系重合体（組成物）は、連鎖移動剤の存在下で重合を行っても良い。使用可能な連鎖移動剤としては、具体的には、メルカプトエタノール、２−メルカプトプロピオン酸、３−メルカプトプロピオン酸、ｎ−ドデシルメルカプタン等のチオール系連鎖移動剤；四塩化炭素、塩化メチレン、ブロモホルム、ブロモトリクロロエタン等の、ハロゲン化物；イソプロパノール、グリセリン等の、第２級アルコール；亜リン酸、次亜リン酸、及びその塩（次亜リン酸ナトリウム、次亜リン酸カリウム等）等；亜硫酸、重亜硫酸塩、亜ジチオン酸塩、メタ重亜硫酸塩、亜硫酸塩、チオ硫酸塩（具体的には、亜硫酸水素ナトリウム、亜硫酸水素カリウム、亜二チオン酸ナトリウム、亜二チオン酸カリウム、メタ重亜硫酸ナトリウム、メタ重亜硫酸カリウム等）等（「重亜硫酸（塩）類」ともいう）；等が挙げられる。上記連鎖移動剤は、単独でまたは２種以上併用して使用しても良い。
好ましい連鎖移動剤としては、得られるポリカルボン酸系重合体（組成物）の洗剤ビルダーとしての性能（よごれ粒子の分散性等）が向上する傾向にあることから、次亜リン酸（塩）（水和物を含む）、重亜硫酸（塩）類、が好ましい。
【００３２】
上記連鎖移動剤の使用量は、好ましくは全単量体（カルボキシル基含有単量体とその他の単量体の合計）１モルに対して、連鎖移動剤と上記重合開始剤の合計の使用量が、５．０ｇ以下であることが好ましく、４．０ｇ以下であることがより好ましく、３．５ｇ以下であることがさらに好ましく、３．０ｇ以下であることが特に好ましい。一方、連鎖移動剤と上記重合開始剤の合計の使用量の下限としては、全単量体１モルに対して、２．０ｇ以上であることが特に好ましい。上記範囲にすることにより、得られる重合体（組成物）の洗剤ビルダーとしての吸湿特性が良好なものとなる（吸湿率が低くなる）傾向にある。
【００３３】
本発明のポリカルボン酸系重合体（組成物）の製造方法において、反応促進剤として重金属イオンを使用しても良い。本発明において重金属とは、比重が４ｇ／ｃｍ３以上の金属を意味する。上記金属イオンとしては、例えば、鉄、コバルト、マンガン、クロム、モリブデン、タングステン、銅、銀、金、鉛、白金、イリジウム、オスミウム、パラジウム、ロジウム、ルテニウム等が好ましい。これらの重金属は１種又は２種以上を用いることができる。これらの中でも、鉄がより好ましい。上記重金属イオンのイオン価は特に限定されるものではなく、例えば、重金属として鉄が用いられる場合、開始剤における鉄イオンとしては、Ｆｅ２＋であっても、Ｆｅ３＋であってよく、これらが組み合わされていてもよい。
上記重金属イオンは、イオンの形態として含まれるものであれば特に限定されないが、重金属化合物を溶解してなる溶液を用いる方法を用いると、取り扱い性に優れるため好適である。
上記重金属イオンとして鉄を用いる場合、モール塩（Ｆｅ（ＮＨ４）２（ＳＯ４）２・６Ｈ２Ｏ）、硫酸第一鉄・７水和物、塩化第一鉄、塩化第二鉄等の重金属化合物等を用いることが好ましい。また、重金属イオンとしてマンガンを用いる場合、塩化マンガン等を好適に用いることができる。これらの重金属化合物を用いる場合においては、いずれも水溶性の化合物であるため、水溶液の形態として用いることができ、取り扱い性に優れることになる。なお、上記重金属化合物を溶解してなる溶液の溶媒としては、水に限定されるものではない。
【００３４】
上記重金属イオンを使用する場合その使用量は、重合反応完結時における重合反応液の全質量に対して０〜１０ｐｐｍであることが好ましい。重金属イオンの含有量が１０ｐｐｍを超えると、得られる重合体の色調の悪化を来たすおそれがある。
なお、上記重合反応完結時とは、重合反応液中において重合反応が実質的に完了し、所望する重合体が得られた時点を意味する。例えば、重合反応液中において重合された重合体がアルカリ成分で中和される場合には、中和した後の重合反応液の全質量を基準に、重金属イオンの含有量を算出する。２種以上の重金属イオンが含まれる場合には、重金属イオンの総量が上述の範囲であればよい。
【００３５】
上記連鎖移動剤、重合開始剤及び反応促進剤の好ましい組み合わせとして、過硫酸塩単独、過硫酸塩と重亜硫酸（塩）類、過硫酸塩と次亜リン酸（塩）、過硫酸塩と重亜硫酸（塩）類と重金属イオン、が例示される。
なお、本発明において、重亜硫酸塩、次亜リン酸塩等の無機酸の塩とは、金属塩、アンモニウム塩、有機アミン塩を表わし、金属塩としてはナトリウム塩、カリウム塩が好ましい。
【００３６】
上記重合工程において、単量体を反応容器へ添加する方法としては、重合開始前に単量体の一部又は全部を予め反応溶液に添加しておく方法、単量体の全量を重合開始以降に反応容器に添加する方法等が可能であるが、単量体の一部または全部を重合開始以後に反応容器に逐次的（好ましくは連続的）に添加することが好ましい。なお、後述する重合開始時点より前を重合開始前、重合開始時点より後を重合開始後という。
単量体は、予め溶媒に溶解して反応容器に添加しても良い。
【００３７】
上記重合工程において、重合開始剤を反応容器へ添加する方法としては、重合開始前に重合開始剤の一部又は全部を予め反応溶液に添加しておく方法、重合開始剤の全量を重合開始以降に反応容器に添加する方法等が可能であるが、重合開始剤の一部または全部を重合開始以後に反応容器に逐次的（好ましくは連続的）に添加することが好ましい。
重合開始剤は、予め溶媒に溶解して反応容器に添加してもよい。重合開始剤として過硫酸塩を使用する場合には、水溶液として添加することが好ましい。
過硫酸塩の添加終了時点が、単量体の添加終了時点以降になることが好ましく、単量体の添加終了時から６０分以内であることがより好ましく、単量体の添加終了時から３０分以内であることが特に好ましい。
【００３８】
上記重合工程において、連鎖移動剤を使用する場合、連鎖移動剤を反応容器へ添加する方法としては、重合開始前に連鎖移動剤の一部又は全部を予め反応溶液に添加しておく方法、連鎖移動剤の全量を重合開始以降に反応容器に添加する方法等が可能であるが、連鎖移動剤の一部または全部を重合開始以後に反応容器に逐次的（好ましくは連続的）に添加することが好ましい。
連鎖移動剤は、予め溶媒に溶解して反応容器に添加してもよい。重合開始剤として重亜硫酸（塩）類を使用する場合には、水溶液として添加することが好ましい。
また、重亜硫酸（塩）類を使用する場合、重合初期の分子量は最終分子量に大きく影響する。このため、初期分子量を低下させるために、重合開始より６０分以内、好ましくは３０分以内、より好ましくは１０分以内に重亜硫酸（塩）類ないしその溶液を使用量の５〜２０質量％添加（滴下）するのが望ましい。
単量体、重合開始剤、連鎖移動剤等を逐次的に添加する場合、その添加速度は一定であっても良いが、添加速度を途中で変えても良い。
【００３９】
上記重合工程における重合方法としては、例えば、溶液重合やバルク重合、懸濁重合、乳化重合等の通常用いられる方法で行うことができ、特に限定されるものではないが、溶液重合が好ましい。溶剤を使用する場合には、溶媒は、通常重合開始前に一部又は全量を反応容器内に仕込んでおくことが好ましいが、溶媒の一部を重合開始以後に反応系内に添加（滴下）してもよいし、単量体成分や開始剤等を予め溶媒に溶解させた形で、これらの成分と共に重合反応中に反応系内に添加（滴下）してもよい。
【００４０】
上記重合工程において、重合温度としては、通常、０℃以上であることが好ましく、また、１５０℃以下であることが好ましい。より好ましくは、４０℃以上であり、更に好ましくは、６０℃以上であり、特に好ましくは、８０℃以上である。また、より好ましくは、１２０℃以下であり、更に好ましくは、１１０℃以下である。特に、重亜硫酸（塩）類を用いる場合には、共重合温度は、通常、６０℃〜９５℃、好ましくは７０℃〜９５℃、さらに好ましくは、８０℃〜９５℃である。この際、６０℃以下では、重亜硫酸（塩）類由来の不純物が多量に生成するおそれがある。逆に、９５℃を越えると、有毒な亜硫酸ガスが放出されるおそれがある。
上記重合工程において、重合温度は常にほぼ一定に保持する必要はなく、例えば、室温から重合を開始し、適当な昇温時間又は昇温速度で設定温度まで昇温し、その後、設定温度を保持するようにしてもよいし、単量体成分や開始剤等の滴下方法に応じて、重合反応中に経時的に温度変動（昇温又は降温）させてもよい。
【００４１】
本発明のポリカルボン酸系重合体の製造方法において、重合時間としては、３０〜３６０分であることが好ましい。より好ましくは、６０〜２４０分であり、更に好ましくは、１２０〜１８０分である。
なお、本発明において「重合時間」とは、回文式（バッチ式）重合方法において、単量体の一部または全部を反応器（反応釜）に添加しながら重合する場合には、最初に重合開始剤の一部または全部と、単量体の一部または全部が反応器に添加された時点（重合開始時点という）から、単量体の全量が反応器に添加された時点（重合終了時点という）までをいう。また、回文式（バッチ式）重合方法において、単量体の全量を予め反応器に添加して（初期仕込みという）、重合開始剤の一部または全部を反応器（反応釜）に添加しながら重合する場合には、最初に重合開始剤の一部または全部と、単量体の全部が反応器に添加された時点から、重合開始剤の全量が反応器に添加された時点までである。また、回文式（バッチ式）重合方法において、単量体の全量と、重合開始剤の全量とを予め反応器に添加して、加熱等の手段により重合を行なう場合には、発熱（重合熱の発生）が見られる時間をいう。また、連続式で重合する場合には、反応器に滞留している時間をいう。
【００４２】
上記重合工程における反応系内の圧力としては、常圧（大気圧）下、減圧下、加圧下の何れであってもよいが、得られる共重合体の分子量の点で、常圧下、又は、反応系内を密閉し、加圧下で行うのが好ましい。また、加圧装置や減圧装置、耐圧性の反応容器や配管等の設備の点で、常圧（大気圧）下で行うのが好ましい。反応系内の雰囲気としては、空気雰囲気でもよいが、不活性雰囲気とするのが好ましく、例えば、重合開始前に系内を窒素等の不活性ガスで置換することが好ましい。
【００４３】
上記重合工程における重合中のｐＨは、酸性が好ましい。酸性条件下で行うことによって、重合反応系の水溶液の粘度の上昇を抑制し、重合体を良好に製造することができる。また、高濃度の条件下で重合反応を進行させることができるので、製造効率を大幅に上昇することができ、最終固形分濃度が４０％以上の高濃度重合とすることができる。上記酸性条件としては、重合中の反応溶液の２５℃でのｐＨが１〜６であることが好ましく、より好ましくは５以下であり、更に好ましくは３以下である。
【００４４】
上記重合工程において、重合を行う際の単量体の中和率は、重合開始剤等によって適宜変更できる。例えば、過硫酸塩と重亜硫酸（塩）類とを併用する場合は、単量体の中和率を０〜６０モル％として単量体成分の共重合を行うことが好ましい。上記単量体の中和率は、反応液に含まれる単量体と単量体に由来する構造単位のカルボキシル基の全モル数を１００モル％としたときに、塩を形成している単量体と塩を形成している単量体に由来する構造単位のカルボキシル基の割合（モル％）で表される。単量体の中和率を上記範囲にすることにより、重合率が向上したり、重合体の分子量を好ましい範囲に制御することが容易になる傾向にある。より好ましくは、５０モル％以下であり、更に好ましくは、４０モル％以下、特に好ましくは、３０モル％以下であり、より特に好ましくは、２０モル％以下であり、最も好ましくは、１０モル％以下である。
【００４５】
本発明の製造方法は、上記重合工程を必須として含むことになる。その他、熟成工程、中和工程、精製工程等を含んでいても良い。
［本発明のポリカルボン酸系重合体（組成物）の用途］
上記ポリカルボン酸系重合体（または重合体組成物）は、洗剤組成物への添加剤（洗剤ビルダー等）、スケール防止剤等の水処理剤、繊維処理剤、分散剤、脱墨剤、金属イオン封止剤、増粘剤、有機繊維・無機繊維のバインダー、粉体のバインダー、乳化剤、スキンケア剤、ヘアケア剤等として用いることができる。
【００４６】
＜洗剤ビルダー＞
本発明のポリカルボン酸系重合体（または重合体組成物）は、洗剤ビルダーとして用いられうる。洗剤ビルダーとしては、衣料用、食器用、住居用、毛髪用、身体用、歯磨き用、及び自動車用など、様々な用途の洗剤に添加されて使用されうる。
すなわち、本発明のポリカルボン酸系重合体（または重合体組成物）は、洗剤組成物にも添加しうる。上記洗剤組成物の概念には、家庭用洗剤組成物、繊維工業その他の工業用洗剤組成物、硬質表面洗浄剤組成物等が含まれ、さらに例えば漂白洗剤組成物等の洗剤組成物に含まれる特定の成分の働きを高めた洗剤組成物も含まれる。
洗剤組成物における本発明のポリカルボン酸系重合体の含有量は特に制限されない。ただし、優れたビルダー性能を発揮しうるという観点からは、本発明のポリカルボン酸系重合体の含有量は、洗剤組成物の全量に対して、好ましくは０．１〜１５質量％であり、より好ましくは０．３〜１０質量％であり、さらに好ましくは０．５〜５質量％である。
【００４７】
洗剤用途で用いられる洗剤組成物には、通常、洗剤に用いられる界面活性剤や添加剤が含まれる。これらの界面活性剤や添加剤の具体的な形態は特に制限されず、洗剤分野において従来公知の知見が適宜参照されうる。また、上記洗剤組成物は、粉末洗剤組成物の場合に特に好ましいが、液体洗剤組成物である場合にも使用することができる。
【００４８】
界面活性剤は、アニオン性界面活性剤、ノニオン性界面活性剤、カチオン性界面活性剤および両性界面活性剤からなる群から選択される１種または２種以上である。２種以上が併用される場合、アニオン性界面活性剤とノニオン性界面活性剤との合計量は、界面活性剤の全量に対して５０質量％以上であることが好ましく、より好ましくは６０質量％以上であり、さらに好ましくは７０質量％以上であり、特に好ましくは８０質量％以上である。
界面活性剤の配合割合は、洗剤組成物の全量に対して１０〜７０質量％であることが好ましく、より好ましくは１５〜６０質量％である。界面活性剤の配合割合が少なすぎると、十分な洗浄力を発揮できなくなる虞がある。
上記界面活性剤として具体的には、アニオン性界面活性剤としては、アルキルベンゼンスルホン酸塩、アルキル硫酸塩等；ノニオン性界面活性剤としては、ポリオキシアルキレンアルキルエーテル、ポリオキエチレンアルキルフェニルエーテル等；カチオン性界面活性剤としては、第４級アンモニウム塩等；両性界面活性剤としては、カルボキシル型両性界面活性剤、スルホベタイン型両性界面活性剤等；が例示される。
【００４９】
本発明の洗剤組成物は、本発明のポリカルボン酸系重合体、界面活性剤以外の添加剤（その他の添加剤）として、炭酸塩、炭酸水素塩、珪酸（塩）等のアルカリビルダー；トリポリリン酸（塩）、クエン酸（塩）、アクリル酸−マレイン酸共重合体（塩）、エチレンジアミンテトラ酢酸（塩）、ボウ硝、ゼオライト等のキレートビルダー；カルボキシメチルセルロース（塩）等の汚染物質の再沈着を防止するための再付着防止剤；ベンゾトリアゾールやエチレン−チオ尿素等の汚れ抑制剤；ソイルリリース剤；ポリビニルピロリドン等の色移り防止剤；柔軟剤；ｐＨ調節のためのアルカリ性物質；香料；可溶化剤；蛍光剤；着色剤；起泡剤；泡安定剤；つや出し剤；殺菌剤；漂白剤；漂白助剤；酵素；染料；溶媒等を添加しても良い。上記その他の添加剤における塩としては、金属塩、アンモニウム塩、有機アミン塩が例示される。
上記その他の添加剤の合計の配合割合は、洗浄剤組成物１００質量％に対して１５〜８９．９質量％が好ましく、３０〜８４．７質量％がより好ましい。
本発明の洗剤組成物が粉末洗剤組成物の場合には、ゼオライトを配合することが好ましい。
本発明の洗剤組成物が液体洗剤組成物の場合には、水を液体洗剤組成物の全量に対して０．１〜７５質量％含むことが好ましく、１．５〜５０質量％含むことがより好ましい。
【００５０】
＜水処理剤＞
本発明のポリカルボン酸系重合体（または重合体組成物）は、単独またはその他の配合剤と共にスケール防止剤等の水処理剤に用いることができる。該水処理剤には、必要に応じて、他の配合剤として、重合リン酸塩、ホスホン酸塩、防食剤、スライムコントロール剤、キレート剤を用いても良い。上記水処理剤における本発明のポリカルボン酸系重合体の含有量は、水処理剤全体に対して、好ましくは１〜１００重量％であり、より好ましくは５〜１００重量％である。
【００５１】
上記水処理剤は、冷却水循環系、ボイラー水循環系、海水淡水化装置、パルプ蒸解釜、黒液濃縮釜等でのスケール防止に有用である。また、性能、効果に影響しない範囲で、任意の適切な水溶性重合体を含んでもよい。
【００５２】
＜繊維処理剤＞
本発明のポリカルボン酸系重合体（または重合体組成物）は、繊維処理剤に用いることができる。該繊維処理剤は、染色剤、過酸化物および界面活性剤からなる群より選ばれる少なくとも１つと、本発明のポリカルボン酸系重合体を含む。
上記繊維処理剤における本発明のポリカルボン酸系重合体の含有量は、繊維処理剤全体に対して、好ましくは１〜１００重量％であり、より好ましくは５〜１００重量％である。また、性能、効果に影響しない範囲で、任意の適切な水溶性重合体を含んでいてもよい。
【００５３】
以下に、より実施形態に近い、繊維処理剤の配合例を示す。この繊維処理剤は、繊維処理における精錬、染色、漂白、ソーピングの工程で使用することができる。染色剤、過酸化物および界面活性剤としては繊維処理剤に通常使用されるものが挙げられる。
【００５４】
本発明のポリカルボン酸系重合体と、染色剤、過酸化物および界面活性剤からなる群より選ばれる少なくとも１つとの配合比率は、例えば、繊維の白色度、色むら、染色けんろう度の向上のためには、繊維処理剤純分換算で、本発明のポリカルボン酸系重合体１重量部に対して、染色剤、過酸化物および界面活性剤からなる群より選ばれる少なくとも１つを０．１〜１００重量部の割合で配合された組成物を繊維処理剤として用いることが好ましい。
【００５５】
上記繊維処理剤を使用できる繊維としては、任意の適切な繊維を採用し得る。例えば、木綿、麻等のセルロース系繊維、ナイロン、ポリエステル等の化学繊維、羊毛、絹糸等の動物性繊維、人絹等の半合成繊維およびこれらの織物および混紡品が挙げられる。
【００５６】
上記繊維処理剤を精錬工程に適用する場合は、本発明のポリカルボン酸系重合体と、アルカリ剤および界面活性剤とを配合することが好ましい。漂白工程に適用する場合では、本発明のカルボキシル基含有共重合体と、過酸化物と、アルカリ性漂白剤の分解抑制剤としての珪酸ナトリウム等の珪酸系薬剤とを配合することが好ましい。
＜無機顔料分散剤＞
本発明のポリカルボン酸系重合体（または重合体組成物）は、無機顔料分散剤に用いることができる。該無機顔料分散剤には、必要に応じて、他の配合剤として、縮合リン酸およびその塩、ホスホン酸およびその塩、ポリビニルアルコールを用いても良い。
上記無機顔料分散剤中における、本発明のポリカルボン酸系重合体の含有量は、無機顔料分散剤全体に対して、好ましくは５〜１００重量％である。また性能、効果に影響しない範囲で、任意の適切な水溶性重合体を含んでいてもよい。
上記無機顔料分散剤は、紙コーティングに用いられる重質ないしは軽質炭酸カルシウム、クレイの無機顔料の分散剤として良好な性能を発揮し得る。例えば、無機顔料分散剤を無機顔料に少量添加して水中に分散することにより、低粘度でしかも高流動性を有し、かつ、それらの性能の経日安定性が良好な、高濃度炭酸カルシウムスラリーのような高濃度無機顔料スラリーを製造することができる。
上記無機顔料分散剤を無機顔料の分散剤として用いる場合、該無機顔料分散剤の使用量は、無機顔料１００重量部に対して、０．０５〜２．０重量部が好ましい。該無機顔料分散剤の使用量が上記範囲内にあることによって、十分な分散効果を得ることが可能となり、添加量に見合った効果を得ることが可能となり、経済的にも有利となり得る。
【実施例】
【００５７】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
また、本発明のポリカルボン酸系重合体の重量平均分子量、吸湿率等は、下記方法に従って測定した。
【００５８】
＜重量平均分子量の測定条件＞
装置：日立社製Ｌ−７０００シリーズ
検出器：ＲＩ
カラム：昭和電工社製 ＳＨＯＤＥＸ Ａｓａｈｉｐａｋ ＧＦ−３１０−ＨＱ， ＧＦ−７１０−ＨＱ， ＧＦ−１Ｇ ７Ｂ
カラム温度：４０℃
流速：０．５ｍｌ／ｍｉｎ．
検量線：創和科学株式会社製 ＰＯＬＹＡＣＲＹＬＩＣ ＡＣＩＤ ＳＴＡＮＤＡＲＤ
溶離液：０．１Ｎ酢酸ナトリウム／アセトニトリル＝３／１（質量比）
＜重合体組成物の固形分測定方法＞
窒素雰囲気下、１３０℃に加熱したオーブンで重合体組成物（重合体組成物１．０ｇ＋水３．０ｇ）を１時間放置して乾燥処理した。乾燥前後の重量変化から、固形分（％）と、揮発成分（％）を算出した。
【００５９】
＜吸湿率＞
（１）アルミカップに固形量が０．７５ｇとなるように重合体組成物を採取した。
（２）上記（１）を１３０℃に設定したオーブン中で２時間乾燥した。乾燥後デシケータ中で３０分冷却し、質量を測定し、アルミカップの質量を差し引いた質量を吸湿前の質量とした。
（３）恒温恒湿条件（４０℃、ＲＨ８０％）で１週間保管した。保管後速やかに質量を測定し、アルミカップの質量を差し引いた質量を吸湿後の質量とした。
（４）下記の式により、吸湿率を算出した。
吸湿率（％）＝（吸湿後の質量−吸湿前の質量）／（吸湿前の質量）×１００。
【００６０】
＜硫酸ナトリウムの含有量＞
重合体組成物に含まれる硫酸イオン量とナトリウム量を下記の方法で定量することにより、硫酸ナトリムの含有量を算出した。すなわち下記重合体組成物において、硫酸イオンの当量とナトリウムの当量の少ない方に相当する硫酸ナトリウムが存在していることになる。
（硫酸イオンの分析）
硫酸イオン量は、下記条件にてイオンクロマト分析を行うことで測定した。
装置          ：Ｍｅｔｒｏｈｍ社製  ７６２  Ｉｎｔｅｒｆａｃｅ
検出器        ：Ｍｅｔｒｏｈｍ社製  ７３２  ＩＣ  Ｄｅｔｅｃｔｅｒ
イオン分析方式：サプレッサー法
カラム        ：Ｓｈｏｄｅｘ  ＩＣ  ＳＩ−９０  ４Ｅ
ガードカラム  ：Ｓｈｏｄｅｘ  ＳＩ−９０  Ｇ
カラム温度    ：４０℃
溶離液        ：ＮａＨＣＯ３水（２ｇを水で２０００ｇに希釈）
流速          ：１．０ｍＬ／ｍｉｎ。
（ナトリウム量の分析）
誘導結合プラズマ（Ｉｎｄｕｃｔｉｖｅｌｙ  Ｃｏｕｐｌｅｄ  Ｐｌａｓｍａ，ＩＣＰ）発光分光分析法によって定量した。
【００６１】
＜実施例１＞
還流冷却器、撹拌機（パドル翼）、温度計を備えた容量５リットルのＳＵＳ製セパラブルフラスコに、純水１１３８．０ｇを仕込み（初期仕込）、撹拌下、沸点まで昇温した。次いで撹拌下、沸点還流状態の重合反応系中に８０質量％アクリル酸水溶液（以下「８０％ＡＡ」と称する）９００ｇ（すなわち１０ｍｏｌ）、１５質量％過硫酸ナトリウム水溶液（以下「１５％ＮａＰＳ」と称する）１８０．０ｇ（対単量体投入量に換算すると２．７ｇ／ｍｏｌ）をそれぞれ別個の滴下ノズルより滴下した。それぞれの滴下時間は、８０％ＡＡを３６０分間、１５％ＮａＰＳを３７０分間とした。また、それぞれの滴下時間の間、各成分の滴下速度は一定とし、連続的に滴下した。滴下終了後、さらに３０分間に渡って反応溶液を沸点還流状態に保持（熟成）して重合を完結せしめた。以上のようにして、本発明のポリカルボン酸系重合体組成物としてのポリアクリル酸水溶液（重合体水溶液（１）という）を得た。重合体水溶液（１）の個形分値は３３．７％、重合体水溶液（１）に含まれる重合体（重合体（１）という）の重量平均分子量（Ｍｗ）は３８０００であった。重合体水溶液（１）中の硫酸ナトリウム量は固形分に対し２．２０質量％であった。重合結果及び、吸湿率測定結果を表１に示した。
ポリマーの吸湿率を上述の方法で評価したところ、吸湿率は２７．９％であった。
【００６２】
＜実施例２＞
還流冷却器、撹拌機（パドル翼）、温度計を備えた容量５リットルのＳＵＳ製セパラブルフラスコに、純水１１４１．１ｇを仕込み（初期仕込）、撹拌下、沸点まで昇温した。次いで撹拌下、沸点還流状態の重合反応系中に８０質量％アクリル酸水溶液９００ｇ（すなわち１０ｍｏｌ）、１５質量％過硫酸アンモニウム水溶液（以下、「１５％ＡＰＳ」と称する）１７３．４ｇ（対単量体投入量に換算すると２．７ｇ／ｍｏｌ）をそれぞれ別個の滴下ノズルより滴下した。それぞれの滴下時間は、８０％ＡＡを３６０分間、１５％ＡＰＳを３７０分間とした。また、それぞれの滴下時間の間、各成分の滴下速度は一定とし、連続的に滴下した。滴下終了後、さらに３０分間に渡って反応溶液を沸点還流状態に保持（熟成）して重合を完結せしめた。以上のようにして、本発明のポリカルボン酸系重合体組成物としてのポリアクリル酸水溶液（重合体水溶液（２））を得た。重合体水溶液（２）の個形分値は３３．７％、重合体水溶液（２）に含まれる重合体（重合体（２）という）の重量平均分子量（Ｍｗ）は３９０００であった。重合体水溶液（２）中の硫酸ナトリウム量は固形分に対し０．１１質量％であった。重合結果及び、吸湿率測定結果を表１に示した。
実施例１と同様にポリマーの吸湿率を上述の方法で評価したところ、吸湿率は２７．８％であった。
【００６３】
＜実施例３＞
還流冷却器、撹拌機（パドル翼）、温度計を備えた容量５リットルのＳＵＳ製セパラブルフラスコに、純水６６５．７ｇとモール塩０．０１６４ｇを仕込み（初期仕込）、撹拌下、８５℃まで昇温した。次いで撹拌下、約８５℃一定状態の重合反応系中に８０質量％アクリル酸水溶液９００ｇ（すなわち１０ｍｏｌ）、１５質量％過硫酸ナトリウム水溶液３３．３ｇ（対単量体投入量に換算すると０．５ｇ／ｍｏｌ）、３５質量％重亜硫酸ナトリウム水溶液（以下、「３５％ＳＢＳ」とも称する）５４．３ｇ（対単量体投入量に換算すると１．９ｇ／ｍｏｌ）、をそれぞれ別個の滴下ノズルより滴下した。それぞれの滴下時間は、８０％ＡＡを１８０分間、１５％ＮａＰＳを１９０分間、３５％ＳＢＳを１７５分間とした。また、それぞれの滴下時間の間、各成分の滴下速度は一定とし、連続的に滴下した。滴下終了後、さらに３０分間に渡って反応溶液を８５℃に保持（熟成）して重合を完結せしめた。以上のようにして、本発明のポリカルボン酸系重合体組成物としてのポリアクリル酸水溶液（重合体水溶液（３））を得た。重合体水溶液（３）の個形分値は４５．０％、重合体水溶液（３）に含まれる重合体（重合体（３）という）の重量平均分子量（Ｍｗ）は３６０００であった。重合体水溶液（３）中の硫酸ナトリウム量は固形分に対し１．１０質量％であった。重合結果及び、吸湿率測定結果を表１に示した。
実施例１と同様にポリマーの吸湿率を上述の方法で評価したところ、吸湿率は２６．３％であった。
【００６４】
＜実施例４＞
還流冷却器、撹拌機（パドル翼）、温度計を備えた容量５リットルのＳＵＳ製セパラブルフラスコに、純水６６５．７ｇとモール塩０．０１６４ｇを仕込み（初期仕込）、撹拌下、８５℃まで昇温した。次いで撹拌下、約８５℃一定状態の重合反応系中に８０質量％アクリル酸水溶液９００ｇ（すなわち１０ｍｏｌ）、１５質量％過硫酸アンモニウム水溶液３３．３ｇ（対単量体投入量に換算すると０．５ｇ／ｍｏｌ）、３５質量％重亜硫酸ナトリウム水溶液５４．３ｇ（対単量体投入量に換算すると１．９ｇ／ｍｏｌ）、をそれぞれ別個の滴下ノズルより滴下した。それぞれの滴下時間は、８０％ＡＡを１８０分間、１５％ＮａＰＳを１９０分間、３５％ＳＢＳを１７５分間とした。また、それぞれの滴下時間の間、各成分の滴下速度は一定とし、連続的に滴下した。滴下終了後、さらに３０分間に渡って反応溶液を８５℃に保持（熟成）して重合を完結せしめた。以上のようにして、本発明のポリカルボン酸系重合体組成物としてのポリアクリル酸水溶液（重合体水溶液（４））を得た。重合体水溶液（４）の個形分値は４５．０％、重合体水溶液（４）に含まれる重合体（重合体（４）という）の重量平均分子量（Ｍｗ）は３７０００であった。重合体水溶液（４）中の硫酸ナトリウム量は固形分に対し１．００質量％であった。重合結果及び、吸湿率測定結果を表１に示した。
実施例１と同様にポリマーの吸湿率を上述の方法で評価したところ、吸湿率は２６．６％であった。
【００６５】
＜比較例１＞
還流冷却器、撹拌機（パドル翼）、温度計を備えた容量５リットルのＳＵＳ製セパラブルフラスコに、純水３８３２．９ｇを仕込み（初期仕込）、撹拌下、沸点まで昇温した。次いで撹拌下、沸点還流状態の重合反応系中に８０質量％アクリル酸水溶液（以下「８０％ＡＡ」と称する）９００ｇ（すなわち１０ｍｏｌ）、１５質量％過硫酸ナトリウム水溶液（以下「１５％ＮａＰＳ」と称する）３００．０ｇ（対単量体投入量に換算すると４．５ｇ／ｍｏｌ）をそれぞれ別個の滴下ノズルより滴下した。それぞれの滴下時間は、８０％ＡＡを１８０分間、１５％ＮａＰＳを１９０分間とした。また、それぞれの滴下時間の間、各成分の滴下速度は一定とし、連続的に滴下した。滴下終了後、さらに３０分間に渡って反応溶液を沸点還流状態に保持（熟成）して重合を完結せしめた。以上のようにして、比較ポリアクリル酸水溶液（比較重合体水溶液（１））を得た。比較重合体水溶液（１）の個形分値は１５．２％、比較重合体水溶液（１）に含まれる重合体（比較重合体（１）という）の重量平均分子量（Ｍｗ）は１００００であった。比較重合体水溶液（１）中の硫酸ナトリウム量は固形分に対し２．７０質量％であった。重合結果及び、吸湿率測定結果を表１に示した。
ポリマーの吸湿率を上述の方法で評価したところ、吸湿率は３０．４％であった。
【００６６】
＜比較例２＞
還流冷却器、撹拌機（パドル翼）、温度計を備えた容量５リットルのＳＵＳ製セパラブルフラスコに、純水３５２．８ｇを仕込み（初期仕込）、撹拌下、８５℃まで昇温した。次いで撹拌下、約８５℃一定状態の重合反応系中に８０質量％アクリル酸水溶液９００ｇ（すなわち１０ｍｏｌ）、１５質量％過硫酸ナトリウム水溶液１２０ｇ（対単量体投入量に換算すると１．８ｇ／ｍｏｌ）、３５質量％重亜硫酸ナトリウム水溶液（以下、「３５％ＳＢＳ」とも称する）１４８．６ｇ（対単量体投入量に換算すると５．２ｇ／ｍｏｌ）、をそれぞれ別個の滴下ノズルより滴下した。それぞれの滴下時間は、８０％ＡＡを１８０分間、１５％ＮａＰＳを１９０分間、３５％ＳＢＳを１７５分間とした。また、それぞれの滴下時間の間、各成分の滴下速度は一定とし、連続的に滴下した。滴下終了後、さらに３０分間に渡って反応溶液を８５℃に保持（熟成）して重合を完結せしめた。以上のようにして、比較ポリアクリル酸水溶液（比較重合体水溶液（２））を得た。比較重合体水溶液（２）の個形分値は５１．９％、比較重合体水溶液（２）に含まれる重合体（比較重合体（２）という）の重量平均分子量（Ｍｗ）は７９００であった。比較重合体水溶液（２）中の硫酸ナトリウム量は固形分に対し３．００質量％であった。重合結果及び、吸湿率測定結果を表１に示した。
実施例１と同様にポリマーの吸湿率を上述の方法で評価したところ、吸湿率は３０．５％であった。
【００６７】
【表１】
0005982145.tif 000002
【００６８】
表１から明らかなように、本発明の重合体組成物は、従来の重合体組成物に比して、優れた吸湿特性（吸湿率が低い）を有していることが明らかとなった。よって、本発明の重合体組成物は従来の重合体組成物と比較してより多く洗剤組成物に配合することが可能であることが明らかとなった。